(57)【要約】【課題】  ゴルフボールの飛びのシンメトリー性に優れるのみならず、ゴルフボールの外観が良好であり、しかもゴルフボールの射出成型時の製造コストを抑制することが可能なゴルフボールのディンプル配置方法、及び該ディンプル配置方法により得られるゴルフボールを提供する。【解決手段】  ゴルフボールの球面上に極と赤道を結び赤道と直交する仮想線により一方の半球を複数等分し球面二等辺三角形領域を想定したとき、仮想線を挟んで隣り合う球面二等辺三角形内に多数のディンプルをその仮想線に対し線対称となるように各三角形領域に配置する工程と、球芯と極を結ぶ線分に対し上記配置されたディンプルを一方向に回転移動させる工程と、反対側の半球上に上記移動後の一方の半球上のディンプルと球芯を中心とする点対称となるようにディンプルを配置する工程とによりディンプルを配置する。【選択図】  図１
2005058320.tif 000002
【特許請求の範囲】
【請求項１】
ゴルフボールの球面上に極と赤道を結び赤道と直交する仮想線により一方の半球を複数等分し球面二等辺三角形領域を想定したとき、
（１）上記極と赤道を結ぶ仮想線を挟んで隣り合う球面二等辺三角形内に多数のディンプルをその仮想線に対し線対称となるように各三角形領域に配置する工程、
（２）球芯と極を結ぶ線分に対し上記配置されたディンプルを一方向に回転移動させる工程であって、極に比較的近い区域に配置されたディンプルの移動距離は実質上ゼロか僅かである一方、赤道に近いディンプルほど大きく移動させる工程、
（３）反対側の半球上に、上記移動後の一方の半球上のディンプルと球芯を中心とする点対称となるようにディンプルを配置する工程、
上記工程（１），工程（２）及び工程（３）を含むことを特徴とするゴルフボールのディンプル配置方法。
【請求項２】
赤道近傍のディンプルを半球において周上偶数個配置する請求項１記載のゴルフボールのディンプル配置方法。
【請求項３】
赤道近傍のディンプルを赤道と交差するように配置する請求項１又は２記載のゴルフボールのディンプル配置方法。
【請求項４】
赤道近傍のディンプルを半球において３０個配置する請求項１，２又は３記載のゴルフボールのディンプル配置方法。
【請求項５】
ディンプルの上記回転移動距離が、両半球における赤道近傍のディンプルが赤道を介して互い違いに配置されるのに必要な距離である請求項１乃至４のいずれか１項に記載のゴルフボールのディンプル配置方法。
【請求項６】
請求項１〜５の何れかの配置方法によって球面上に配置されたディンプルを有することを特徴とするゴルフボール。
【発明の詳細な説明】
【技術分野】
【０００１】
本発明は、飛びのシンメトリー性に優れたゴルフボール、及び、該ゴルフボールを与えるゴルフボールのディンプル配置方法に関する。
【背景技術】
【０００２】
ゴルフボール表面には飛翔時の空気抵抗を低減させることを目的として多数のディンプルが配置されるが、更に、飛びのシンメトリー性を向上させる（ゴルフボールの打撃位置によらず一定の飛び性能を発現させる）観点からは、前記ディンプルをゴルフボール表面上になるべく均一に配置することが望ましい。
ディンプルをゴルフボール表面に均一に配置する方法としては、例えば、球面２０面体配置、球面１２面体配置、又は球面８面体配置等の球面多面体配置を利用して配置する方法が知られている（例えば、特許文献１：特開２０００−７０４１３号公報参照）。これらは、例えばゴルフボール表面を球面２０面体に擬し、該２０面体の構成要素であるユニット三角形を基準として各々のユニット三角形内に適宜バランスよくディンプルを配置し、球面全体に展開する方法である。
【０００３】
ここで、ゴルフボールの製造方法としては射出成型法が一般的であり、成形金型のパーティングラインがゴルフボールの赤道相当位置と一致するが、ゴルフボールの赤道相当位置にディンプルを配置しようとすると、成形金型のパーティングライン位置にディンプル形成用の凸部を配置しなければならず、成形金型の製造が複雑化してしまう。従って、ゴルフボールの赤道相当位置へのディンプルの配置は通常行なわれない。しかし、ゴルフボールの赤道相当位置にディンプルが形成されない場合にはゴルフボールの赤道相当位置にエンドレスの陸部が形成されることとなるため、この位置で上記球面多面体配置が歪められることとなる。
【０００４】
一方、上記の球面多面体配置とは多少趣が異なるが、図１０乃至１２に示すような一種の多面体配置も知られており、これは、一の極から他の極へ延びる複数の基準経線と赤道とによって区分されて形成される球面三角形を基準にディンプルを配置する方法である。
【０００５】
図１０及び図１１を参照すると、図１０は、そのような一の従来例を説明するゴルフボール５の極を中心とする平面図であり、図１１は、同ボールの赤道を中心とする正面図である。
ゴルフボール５においては、一の極５１から他の極５１へ向けて、互いに等しく間隔を置きながら延びる６本の基準経線５２が鎖線で示され、この６本の基準経線と赤道５３とによって区分されて形成される１２個の球面三角形の各々の領域内に、多数のディンプル５４が、一辺を共有して隣接する球面三角形領域においてその境界線を基準に線対称となるように配置されている。その点、赤道を境とする半球の他方においても同様である。
【０００６】
ここで、このようなディンプル配置を採用した場合には、図１１に示すように赤道に近接する部分のディンプルが揃って並ぶこととなる。赤道に近接する部分のディンプルが揃って並ぶような配置は見栄えの観点から好ましくないとされることが多い。
【０００７】
ディンプル配置の見栄えを改善する方法としては、ディンプルを配置する際の基準として用いる各基準経線５２と一致していたディンプル配列中心線を、一方の半球面と他方の半球面とで所定の距離をずらして配置する方法が挙げられる。
図１２は、このような従来例を説明するゴルフボール６の赤道を中心とする正面図である。即ち、ゴルフボール６においては、各半球上に示されるディンプル配列中心線６２，６２を、赤道６３位置でのずれ量（距離）として、両極６１，６１を通る軸を中心とする回転方向に所定距離６ｄをもってずらして配置することにより、赤道を挟み両側に位置するディンプルが互い違い（ジグザグ状）に並ぶこととなるため、ゴルフボールの見栄えが改善される。
【０００８】
しかしながら、このように基準経線をずらして配置することは、ゴルフボールの球芯に対するディンプル配置の点対称性が低下してディンプル配置のシンメトリー性が低下し、飛び性能の低下につながるおそれがある。さらに、このようなディンプル配置とすることは、以下に述べるように、ゴルフボールの製造コストの上昇につながるものである。
【０００９】
即ち、多層構成のゴルフボールを射出成形により製造する場合には、ゴルフボールの内層となるコア層等を保持するための複数のサポートピンが成形金型の球状キャビティの各極６１，６１（南、北極）近傍におけるディンプル対応位置に通常設けられるが、上記のようなディンプル配置を採用することにより、ゴルフボールの球芯に対するディンプル配置の点対称性がくずれ、前記サポートピンの位置が上型と下型との間で一致しなくなる。これは、部品を共通化することができなくなることを意味し、その分コストの上昇につながってしまう。
さらに、赤道６３の位置においてディンプルのシーム配列を行う場合には、成形金型における上型と下型のパーティング面が凹凸の嵌合いとなるため、上型と下型とを単にずらすことでは対応できない。
【００１０】
【特許文献１】特開２０００−７０４１３号公報
【発明の開示】
【発明が解決しようとする課題】
【００１１】
本発明は上記事情に鑑みなされたもので、ディンプル配置のシンメトリー性が高いためゴルフボールの飛びのシンメトリー性に優れるのみならず、ゴルフボールの外観が良好であり、しかもゴルフボールの球芯に対するディンプル配置の点対称性が高いためゴルフボールの射出成型の際の製造コストを抑制することが可能なゴルフボールのディンプル配置方法、及び該ディンプル配置方法により得られるゴルフボールを提供することを目的とする。
【課題を解決するための手段】
【００１２】
本発明者は、上記目的を達成するため鋭意検討の結果、ゴルフボールの球面上に極より赤道に至る間を赤道と直交する仮想線によって複数等分し、それによる球面二等辺三角形の各領域に実質上等しく多数のディンプルを配置した後に、球芯と極を結ぶ線分を基準としてディンプルの位置を修正することによって、ゴルフボール表面のディンプル配置のシンメトリー性、ゴルフボールの球芯に対するディンプル配置の点対称性、及びゴルフボールの外観を高度な次元で両立したゴルフボールが得られることを知見し、本発明をなすに至った。
【００１３】
すなわち、本発明は、下記のゴルフボールのディンプル配置方法及びゴルフボールを提供するものである。
請求項１：
ゴルフボールの球面上に極と赤道を結び赤道と直交する仮想線により一方の半球を複数等分し球面二等辺三角形領域を想定したとき、
（１）上記極と赤道を結ぶ仮想線を挟んで隣り合う球面二等辺三角形内に多数のディンプルをその仮想線に対し線対称となるように各三角形領域に配置する工程、
（２）球芯と極を結ぶ線分に対し上記配置されたディンプルを一方向に回転移動させる工程であって、極に比較的近い区域に配置されたディンプルの移動距離は実質上ゼロか僅かである一方、赤道に近いディンプルほど大きく移動させる工程、
（３）反対側の半球上に、上記移動後の一方の半球上のディンプルと球芯を中心とする点対称となるようにディンプルを配置する工程、
上記工程（１），工程（２）及び工程（３）を含むことを特徴とするゴルフボールのディンプル配置方法。
請求項２：
赤道近傍のディンプルを半球において周上偶数個配置する請求項１記載のゴルフボールのディンプル配置方法。
請求項３：
赤道近傍のディンプルを赤道と交差するように配置する請求項１又は２記載のゴルフボールのディンプル配置方法。
請求項４：
赤道近傍のディンプルを半球において３０個配置する請求項１，２又は３記載のゴルフボールのディンプル配置方法。
請求項５：
ディンプルの上記回転移動距離が、両半球における赤道近傍のディンプルが赤道を介して互い違いに配置されるのに必要な距離である請求項１乃至４のいずれか１項に記載のゴルフボールのディンプル配置方法。
請求項６：
請求項１〜５の何れかの配置方法によって球面上に配置されたディンプルを有することを特徴とするゴルフボール。
【発明の効果】
【００１４】
本発明のディンプル配置方法によって配置したゴルフボールは、配置されたディンプルのシンメトリー性が高いので、打球の飛びのシンメトリー性が高い。
一方、ゴルフボールの射出成型に使用される内部球状キャビティの赤道相当位置にパーティング面を有する上下２分割金型において、コア保持用に設置されるサポートピンを図１，４，６及び８において添文字ｓで示す斜線を施したディンプル１ｓ，２ｓ，３ｓ，４ｓの位置に設け、これらサポートピンの先端を上記添文字ｓ位置のディンプル形成に兼用する場合、図３に示す添文字ｓの位置は、ディンプルの移動を必ずしも必要としない範囲（角度γ）内であるため、上型と下型のサポートピン設置位置における対称性を維持することができるので金型部品の共通化が可能であり、そのため本発明を実施するためのコストアップを回避することができる。
【発明を実施するための最良の形態及び実施例】
【００１５】
以下、本発明を、図面に基づき更に詳しく説明する。
図１は、本発明の第１実施例を説明するゴルフボール１の極を中心とする平面図であり、図２は、同ボールの赤道を中心とする正面図である。
図１及び図２を参照すると、ゴルフボール１の球面上に、一の極１１と、赤道１３を結び赤道１３と直交する仮想線１２により一方の半球を複数等分（この実施例においては６等分）することによって球面二等辺三角形を想定（この実施例においては６個の球面二等辺三角形を想定）し、これら球面三角形の各々の区域内に、ディンプル１４が多数配置されている。その点、赤道を境とする半球の他方においても実質上同様に仮想線１２によって区分し、実質上同様にディンプル１４が配置されている。
【００１６】
ここで、ゴルフボール１においては一の極１１から赤道１３へ向けて、互いに等しく間隔を置きながら延びる６本の仮想線１２に関し、極１１の位置を基準として隣接する２本の仮想線のなす角度はいずれもα（＝６０°）として示されている。本発明における仮想線の本数としては特に限定されるものではないが、通常３本以上、上限として通常１２本以下である。仮想線の本数が多すぎると、ディンプル配置位置形状の制約が大きくなる場合があり、一方少なすぎると、ディンプル配置のシンメトリー性が低くなる場合がある。また、その本数に応じて各々の仮想線のなす角度が適宜設定されるが、ゴルフボール表面上のディンプル配置のシンメトリー性を高める観点から、その角度としては３６０°／（仮想線の本数）として各々等しく設定されるのが好適である。
【００１７】
本発明のゴルフボールのディンプル配置方法は、まずゴルフボールの半球面上に、上記のような仮想線と赤道とによって複数形成された球面二等辺三角形区域を基準としてディンプルを配置した後に、球芯と極とを結ぶ線分を軸とする回転方向に各々のディンプルを所定の角度移動させてディンプルを再配置し、更に、該ディンプル配置を基準として他方の半球面上にもディンプルを配置する方法である。即ち、本発明のゴルフボールのディンプル配置方法は、以下の（１）〜（３）の工程を含む。
【００１８】
（１）上記極１１と赤道を結ぶ仮想線１２を挟んで隣り合う上記球面二等辺三角形内に、多数のディンプル１４をその仮想線１２に対し線対称となるように各三角形領域に配置する工程。
（２）球芯と極１１を結ぶ線分を軸とし、上記配置されたディンプル１４を一方向に回転移動させる工程であって、極１１に比較的近い区域に配置されたディンプルの移動距離は実質上ゼロか僅かである一方、赤道１３に近いディンプル１４ほど大きく移動させる工程。
（３）反対側の半球上に、上記移動後の一方の半球上のディンプル１４と、球芯を中心とする点対称となるようにディンプル１４を配置する工程。
【００１９】
上記（１）の工程に関し、ゴルフボール１においてはゴルフボールの各々の半球について各極１１を中心に１２０°（＝２α）の角度をなす２本の仮想線１２，１２と赤道１３とによって区分された球面二等辺三角形区域（上記６本の仮想線１２と赤道１３とによって区分されて形成される両半球合わせて１２個の球面三角形区域のうち、極１１を共有して隣接する２つの球面三角形区域を足し合わせた区域に相当する。）を基準としてディンプルが配置されている。この球面二等辺三角形区域は、ゴルフボール１の各半球面上にそれぞれ３つ形成されている。
【００２０】
ここで、この実施例において上記の各球面二等辺三角形区域内には、直径が異なる３種類のディンプル１４が多数配置されているが、後述する（２）の工程において行われるディンプルの再配置前の状態において、一辺を共有して隣接する該球面二等辺三角形区域の境界線となる仮想線１２に対し、線対称となるように各球面二等辺三角形領域内にディンプルが配置されている。
【００２１】
上記（２）の工程は、（１）の工程の後に行われるディンプル１４の再配置工程である。即ち、（１）の工程で配置されたディンプルを、球芯と極１１とを結ぶ線分を軸として一方向に回転移動させる工程であって、極１１に比較的近い区域に配置されたディンプル１４の移動距離は実質上ゼロか僅かである一方、赤道１３に近いディンプルほど大きく移動させる工程である。
この実施例においてゴルフボール１においては、図１及び図２に示す通り、極１１位置にあるディンプル１４を１つ目と数えた場合に仮想線１２に沿って３つ目のディンプルであって、斜線を付して表示したディンプル１ｓまでの区域、即ち、極１１を重心とし、６つのディンプル１ｓを頂点とする６角形領域に含まれる１９個のディンプル１４については、上記（１）の工程において配置された状態のままであり、（２）の工程におけるディンプル位置の再配置の対象となっていない。一方、上記６角形領域の外部に配置されているディンプル１４は、一定の方向（ゴルフボール１においては極１１を見下ろして反時計回りの方向）に再配置が行われており、その移動量はディンプル１ｓ位置から赤道１３へ近づくにつれて増大している。
【００２２】
ゴルフボール１における上記ディンプルの再配置について、再配置前に仮想線１２上にディンプルの中心を有していたディンプルが上記ディンプルの再配置工程（上記（２）の工程）により移動した後に、同ディンプルの中心を結んで形成される配列中心線１５と、前記仮想線１２との比較によりさらに詳述する。図１，２において該配列中心線１５は一点鎖線をもって仮想線１２の傍らに示され、極１１から赤道１３へ近づくにつれて、該配列中心線１５と仮想線１２との間隔が一定方向に漸増している。
【００２３】
ここで、ゴルフボール１においては、上記極１１を重心として６つのディンプル１ｓにより形成される６角形領域内では上記配列中心線１５は仮想線１２と一致している。
図３は、ゴルフボール１の球芯を中心とし、赤道から極に至る領域の断面図である。ここで、仮想線１２と配列中心線１５とにずれが生じる境界点１ｐから仮想線１２に沿って赤道１３に至る円弧の両端に対し、球芯１ｃから引いた２本の線分のなす角度をβ、前記境界点１ｐから仮想線１２に沿って極１１に至る円弧の両端に対し、球芯１ｃから引いた２本の線分のなす角度をγ（従って、β＋γ＝９０°である）とする。本発明における角度γの値としては２５°以下が好ましく、２４°以下がより好ましく、２３°以下がさらに好ましい。γの値としては０°であってもよいが、この場合、極側から２３〜２５°に至る間の領域にあるディンプルの移動量を、角度βが６５〜６７°に対応する赤道よりの領域にあるディンプル移動量よりも著しく小さくすることが望ましい。なお、γの値が２５°を超えると、ディンプル移動後の一方の半球上のディンプルと他方の半球のディンプルとが球芯を中心として点対称となるように各ディンプルを配置することが困難となる。
【００２４】
また、ゴルフボール１においては図２に示すように、赤道１３を境目とする一方の半球において、ゴルフボールの球芯と極とを結ぶ線分を回転軸とするディンプルの回転移動は他方の半球とは逆方向に行われており、その結果赤道１３上で両ディンプル配列中心線１５間に距離１ｄが生じている。
ゴルフボール１においてこの距離１ｄは、両半球の赤道に近接する第１段目のディンプル１４１が赤道を介して互い違い又は千鳥状に並ぶに必要な距離として設定されている。このように、両半球の赤道１３に近接する第１段目のディンプル１４を赤道１３を介して互い違い又は千鳥状に並べることにより、ゴルフボールの外観を改善することができるため好適である。なお、ゴルフボール１においては、この実施例において赤道１３に近接した各半球の第１段目のディンプル１４１は赤道を越えることなく、赤道にほとんど接するような近い位置に留まっている。
【００２５】
本発明において、両半球の赤道に近接する第１段目のディンプルの個数としては特に限定されないが、通常２４個以上、上限として通常３６個以下である。この実施例においては両半球共各々３０個（偶数個）のディンプルが配置されている。
【００２６】
本発明における上記工程（２）に関し、ゴルフボール１においては配列中心線１５はカーブを描いて延びているが、このようなディンプル１４の移動はディンプル配置のシンメトリー性を保持し飛びのシンメトリー性の低下を防止する観点から特に好適である。
【００２７】
本発明における（３）の工程は、上記移動後の一方の半球上に配置されたディンプル１４と球芯を中心とする点対称となるように、反対側の半球上にディンプル１４を配置する工程であり、上記（２）の工程で修正されたディンプル配置をもとにディンプルが未だ配置されていない残りの半球面上にディンプルを配置する工程である。このような（３）の工程を経てディンプル１４をゴルフボールの球面全体に配置することにより、ゴルフボールの球芯に対するディンプル配置の点対称性を確保することができるため、ゴルフボールの射出成型の際の製造コストを抑制し得る。
なお、このような配置を行う結果、ゴルフボール１においてディンプル配置の基準となる各球面二等辺三角形の各々の位置関係としては、一方の半球に位置する球面二等辺三角形と他方の半球に位置する球面二等辺三角形とが、両極を通る軸線を中心に６０°位相がずれた配置となっている。
【００２８】
この実施例においてゴルフボール１の球面上に形成されるディンプルの総数は３５６個（直径４．２ｍｍ，深さ０．１３７ｍｍのディンプルが２８４個、直径３．７ｍｍ，深さ０．１３ｍｍのディンプルが６０個、直径２．６ｍｍ，深さ０．１２ｍｍのディンプルが１２個）であるが、本発明においてゴルフボール球面上に形成されるディンプルの総数としては通常２００個以上、好ましくは２５０個以上、上限として通常５００個以下、より好ましくは４５０個以下である。球面上に形成されるディンプルの総数が２００個より少なすぎても、５００個より多すぎても飛び性能が悪化する場合がある。また、配置されるディンプル種数としても特に限定されないが、通常２〜２０種、好ましくは３〜１０種である。
【００２９】
図４は、本発明の第２実施例を説明するゴルフボール２の極を中心とする平面図であり、図５は、同ボールの赤道を中心とする正面図である。
ゴルフボール２の、上記第１実施例におけるゴルフボール１に対する特徴は、ディンプルの総数を３３０個（直径４．６ｍｍ，深さ０．１４５ｍｍのディンプルが１２個、直径４．４ｍｍ，深さ０．１４ｍｍのディンプルが２３４個、直径３．８ｍｍ，深さ０．１４ｍｍのディンプルが６０個、直径３．５ｍｍ，深さ０．１５ｍｍのディンプルが６個、直径３．４ｍｍ，深さ０．１３ｍｍのディンプルが６個、直径２．６ｍｍ，深さ０．１０ｍｍのディンプルが１２個）とした点、及び、赤道に近接して配置された第１段目のディンプル数はゴルフボール１と同じ３０個であるが、赤道２３と交差するディンプル２４が４個ずつ両半球の第１ディンプル列間において交互にかつ断続的に赤道に沿って連なり、シームレス配置をなしている点にある。その他はゴルフボール１とほぼ同じである。
【００３０】
図６は、本発明の第３実施例を説明するゴルフボール３の極を中心とする平面図であり、図７は、同ボールの赤道を中心とする正面図である。
ゴルフボール３の、第１実施例におけるゴルフボール１に対する特徴は、ディンプルの総数を３３８個（直径４．２５ｍｍ，深さ０．１４ｍｍのディンプルが２３４個、直径４．１ｍｍ，深さ０．１６ｍｍのディンプルが１２個、直径３．９ｍｍ，深さ０．１４ｍｍのディンプルが８０個、直径２．７ｍｍ，深さ０．１ｍｍのディンプルが１２個）とした点、及び、赤道３３に近接して配置された第１段目のディンプル数はゴルフボール１と同じ３０個であるが、赤道３３と交差するディンプル３４が４個ずつ両半球の第１ディンプル列間において交互にかつ断続的に赤道に沿って連なり、シームレス配置をなしている点にある。その他はゴルフボール１とほぼ同じである。
【００３１】
図８は、本発明の第４実施例を説明するゴルフボール４の極を中心とする平面図であり、図９は、同ボールの赤道を中心とする正面図である。
ゴルフボール４の、第１実施例におけるゴルフボール１に対する特徴は、ディンプルの総数を３５６個（直径４．２ｍｍ，深さ０．１３７ｍｍのディンプルが２５８個、直径４．１ｍｍ，深さ０．１５ｍｍのディンプルが１２個、直径３．９ｍｍ，深さ０．１５ｍｍのディンプルが２個、直径３．７ｍｍ，深さ０．１３５ｍｍのディンプルが７２個、直径２．６ｍｍ，深さ０．１２ｍｍのディンプルが１２個）とした点、及び、赤道４３と交差するディンプル４４が４個ずつ両半球の第１ディンプル列間において交互にかつ断続的に赤道に沿って連なり、シームレス配置をなしている点にある。その他はゴルフボール１とほぼ同じである。
【００３２】
本発明において上記ディンプルの平面視形状としては特に限定されないが、円形、楕円形、三角形、四角形、五角形等の凸多角形（正凸多角形含む）、星形等の凹多角形（正凹多角形含む）等が挙げられる。これらディンプルの深さ方向の形状についても特に限定されるものではなく、ボールの中心に向かって突出した曲面を有しても良いし、底部が平坦に形成されていてもよい。
また、球面を基準としたディンプルの最大深さとしても特に制限はないが、通常０．０５〜０．４ｍｍ、好ましくは０．１〜０．２５ｍｍである。最大深さが小さすぎたり大きすぎたりすると、ゴルフボールの空気力学的性能が損なわれて飛距離に劣る場合がある。
また、ディンプル１４１（図２）のように赤道に近接して周方向に配列されるディンプルは、赤道を挟んで１対、２対又は３対のディンプル列におけるディンプルの深さを、その他の区域のディンプルの深さよりも、同じ直径のディンプルの間で０．００５〜０．０３ｍｍ深くすることができる。一方、両極近傍、より詳細にはγ（図３）が３０°未満の区域のディンプルの深さを、その他の区域のディンプルの深さよりも、同じ直径のディンプルの間で０．００５〜０．０３ｍｍ浅くすることができる。このように赤道近傍及び／又は両極近傍のディンプルの深さを調整することにより、ゴルフボールの飛びのシンメトリー性を一層向上することができる。
更に、球面全体に設けられたディンプル容積の合計（総容積）としては４００〜６５０ｍｍ3であることが好ましく、４５０〜６００ｍｍ3であることがより好ましい。
なお、本発明のゴルフボールを成形するための金型作製には、３ＤＣＡＤ・ＣＡＭを使用し、反転用マスター型に、全表面形状を直接３次元で削りだす方法、或いは、成形用金型のキャビティー部を直接３次元で削りだす方法を用いることができる。
【図面の簡単な説明】
【００３３】
【図１】本発明の第１実施例を説明するゴルフボールの極を中心とする平面図である。
【図２】本発明の第１実施例を説明するゴルフボールの赤道を中心とする正面図である。
【図３】本発明の第１実施例を説明するゴルフボールの球芯を中心とし、赤道から極に至る領域の断面図である。
【図４】本発明の第２実施例を説明するゴルフボールの極を中心とする平面図である。
【図５】本発明の第２実施例を説明するゴルフボールの赤道を中心とする正面図である。
【図６】本発明の第３実施例を説明するゴルフボールの極を中心とする平面図である。
【図７】本発明の第３実施例を説明するゴルフボールの赤道を中心とする正面図である。
【図８】本発明の第４実施例を説明するゴルフボールの極を中心とする平面図である。
【図９】本発明の第４実施例を説明するゴルフボールの赤道を中心とする正面図である。
【図１０】一の従来例を説明するゴルフボールの極を中心とする平面図である。
【図１１】一の従来例を説明するゴルフボールの赤道を中心とする正面図である。
【図１２】他の従来例を説明するゴルフボールの赤道を中心とする正面図である。
【符号の説明】
【００３４】
１〜６  ゴルフボール
１１  極
１２  仮想線
１３  赤道
１４  ディンプル
１４１  赤道に近接する第１段目のディンプル
１５  配列中心線
１ｄ  赤道上での配列中心線間の距離
１ｓ  極位置にあるディンプルを１つ目と数えた場合に仮想線に沿って３つ目のディンプル
１ｃ  球芯
１ｐ  境界点
α  極の位置を基準として隣接する２本の仮想線のなす角度
β  境界点１ｐから仮想線に沿って赤道に至る円弧の両端に対し、球芯から引いた２本の線分のなす角度
γ  境界点１ｐから仮想線に沿って極に至る円弧の両端に対し、球芯から引いた２本の線分のなす角度
【図１】
2005058320.tif 000003
【図２】
2005058320.tif 000004
【図３】
2005058320.tif 000005
【図４】
2005058320.tif 000006
【図５】
2005058320.tif 000007
【図６】
2005058320.tif 000008
【図７】
2005058320.tif 000009
【図８】
2005058320.tif 000010
【図９】
2005058320.tif 000011
【図１０】
2005058320.tif 000012
【図１１】
2005058320.tif 000013
【図１２】
2005058320.tif 000014